(57)【要約】【課題】信頼性のある構造を具備する発光装置を提供すること。【解決手段】発光体４と、発光体４の周囲を囲む筒状のインナーレンズ２と、インナーレンズ２の外周を囲む筒状のアウターカバー３と、インナーレンズ２およびアウターカバー３の一端側に結合される設置用のケース５と、インナーレンズ２およびアウターカバー３の他端側に備えられ、インナーレンズ２およびアウターカバー３の他端側を相互に所定の係止状態に保持する係止カバー６とを含む発光装置１である。【選択図】図２
2014225480.tif 000002
【特許請求の範囲】
【請求項１】
発光体と、
前記発光体の周囲を囲む筒状のインナーレンズと、
前記インナーレンズの外周を囲む筒状のアウターカバーと、
前記インナーレンズおよびアウターカバーの一端側に結合される設置用のケースと、
前記インナーレンズおよびアウターカバーの他端側に備えられ、前記インナーレンズおよびアウターカバーの他端側を相互に所定の係止状態に保持する係止カバーと、
を含むことを特徴とする、発光装置。
【請求項２】
前記係止カバーは弾性材料を含む構成であり、当該係止カバーを介して前記アウターカバーに対する前記インナーレンズの移動が抑制されることを特徴とする、請求項１記載の発光装置。
【請求項３】
前記インナーレンズの他端側には前記係止カバーが装着される装着部が設けられ、
前記アウターカバーの他端側には筒体端面が閉じられた閉塞壁が設けられ、
前記係止カバーは、前記インナーレンズの装着部に装着され、その外側から前記アウターカバーの閉塞壁により押圧されることで、前記インナーレンズおよびアウターカバーの他端側を係止して保持することを特徴とする、請求項１または２に記載の発光装置。
【請求項４】
前記発光体は、前記インナーレンズの軸方向に延びる長手形状をし、
前記係止カバーには、前記発光体の一端を支持する一対の挟持板が設けられていることを特徴とする、請求項１〜３のいずれか一項に記載の発光装置。
【発明の詳細な説明】
【技術分野】
【０００１】
本発明は、発光装置に関する。
【背景技術】
【０００２】
発光装置、特にそれを使用した信号表示灯は、その内部にＬＥＤ等の光源が１または複数個配置され、その光を反射するための反射部材が設けられている。また、光源、反射部材等を覆う透明なグローブが設けられており、グローブの表面には、透光する光を拡散する拡散レンズが形成されている。さらに光源が複数色の発光を行うこともある。
【先行技術文献】
【特許文献】
【０００３】
【特許文献１】特開２０００−３５３４０１
【０００４】
しかし、特許文献１の信号表示灯では、外光が透明グローブに当たると、透明グローブを通して反射部材に照射される。するとその照射された光がグローブ外へ反射され、内部光源が発光していなくてもあたかも光源が点灯しているように誤認を生じさせる怖れがあった。また、設置対象の設備機械等に取付けたときには、報知が必要な時に点灯や点滅が確認できればよく、報知が不要なときには、信号表示灯は存在感を主張しないことが要望される。
また、発光装置は、報知が必要な時には確実に発光する構成でなければならず、信頼性のある構造を有していることも要望される。
【発明の概要】
【発明が解決しようとする課題】
【０００５】
そこで、この発明の目的は、信頼性のある構造を具備する発光装置を提供することである。
【課題を解決するための手段】
【０００６】
請求項１記載の発明は、発光体と、前記発光体の周囲を囲む筒状のインナーレンズと、前記インナーレンズの外周を囲む筒状のアウターカバーと、前記インナーレンズおよびアウターカバーの一端側に結合される設置用のケースと、前記インナーレンズおよびアウターカバーの他端側に備えられ、前記インナーレンズおよびアウターカバーの他端側を相互に所定の係止状態に保持する係止カバーと、を含むことを特徴とする、発光装置である。
【０００７】
請求項２記載の発明は、前記係止カバーは弾性材料を含む構成であり、当該係止カバーを介して前記アウターカバーに対する前記インナーレンズの移動が抑制されることを特徴とする、請求項１記載の発光装置である。
請求項３記載の発明は、前記インナーレンズの他端側には前記係止カバーが装着される装着部が設けられ、前記アウターカバーの他端側には筒体端面が閉じられた閉塞壁が設けられ、前記係止カバーは、前記インナーレンズの装着部に装着され、その外側から前記アウターカバーの閉塞壁により押圧されることで、前記インナーレンズおよびアウターカバーの他端側を係止して保持することを特徴とする、請求項１または２に記載の発光装置である。
【０００８】
請求項４記載の発明は、前記発光体は、前記インナーレンズの軸方向に延びる長手形状をし、前記係止カバーには、前記発光体の一端を支持する一対の挟持板が設けられていることを特徴とする、請求項１〜３のいずれか一項に記載の発光装置である。
【図面の簡単な説明】
【０００９】
【図１】本発明の第一の実施形態の発光装置の正面図である。
【図２】本発明の第一の実施形態の発光装置の上側から見た分解斜視図である。
【図３】本発明の第一の実施形態の発光装置の下側から見た分解斜視図である。
【図４】図１の発光装置のＳ１−Ｓ１に沿った縦断面図である。
【図５】本発明の第二の実施形態の発光装置の上側から見た分解斜視図である。
【図６】本発明の第三の実施形態の発光装置を示す正面図（ａ）、底面図（ｂ）および右側面図（ｃ）である。
【図７】本発明の第三の実施形態の発光装置の分解側面図である。
【図８】本発明の第四の実施形態の発光装置の正面図である。
【発明を実施するための形態】
【００１０】
以下では、本発明の実施形態を、添付図面を参照して詳細に説明する。
図１は、本発明の第一の実施形態の発光装置１の正面図である。図１を参照して、発光装置１は、一方向に長い柱形状をなしていて、その長手方向を例えば上下方向Ｚ（上向きをＺ１、下向きをＺ２の矢印で示す）に沿わせた状態で設置対象、例えば設備機械７の上面に設置され、信号表示灯として機能する。
【００１１】
なお、この発明の発光装置は、信号表示灯に限らず、照明装置、回転警告灯、道路標識などの表示装置、その他に適用することができる。この実施形態では、信号表示灯を例に本発明を説明する。
発光装置１は、設備機械７に設置するためのケース５と、ケース５に支持される発光体４と、発光体４の周囲にあるインナーレンズ２と、インナーレンズ２を囲覆するアウターカバー３と、インナーレンズ２の上部をアウターカバー３に係止する係止カバー６と、設備機械７からの信号供給や電源供給を受ける配線ケーブル１１とを有している。なお、発光装置１の長手方向を上下方向以外の方向に沿わせて、発光装置１を設置してもよい。本実施形態では、長手方向を上下方向Ｚに沿わせて設置する場合に即して説明する。
【００１２】
光源としての発光体４は、複数のＬＥＤ４２（ＬＥＤ４２１、４２２、４２３、４２４、４２５）と、それらを実装した基板４１とを有する。基板４１は上下方向Ｚに沿った状態で直立している。複数のＬＥＤ４２は、単色発光タイプであっても多色発光タイプであってもよい。また、各ＬＥＤ４２の点灯、点滅制御は、プログラムや外部からの制御信号により、各々単独制御方式、グループ制御方式などで行える。例えば、ＬＥＤ４２１とＬＥＤ４２２とを同期させ、残りのＬＥＤ４２３、４２４、４２５を別の周期で同期させる点滅制御をすることができる。また、本実施形態では発光装置１の基板４１の上側より、赤色系のＬＥＤ４２１、黄色系のＬＥＤ４２２、緑色系のＬＥＤ４２３、青色系のＬＥＤ４２４、白色系のＬＥＤ４２５を使用している。なお、本実施形態では直立した基板４１上に複数のＬＥＤを実装した発光体４を用いて説明するが、発光装置４には、ＬＥＤに加え、ＬＥＤの発する光を反射する反射部材が備えられていてもよい。また、発光体４は、ＬＥＤ以外の光源を用いた発光体４であってもよい。
【００１３】
ケース５は、設備機械７に設置するための下ケース５２と、下ケース５２の上側に装着される上ケース５１とを有する。下ケース５２は、底面側に配線ケーブル１１を通すことができる。上ケース５１は、上側に発光体４、インナーレンズ２およびアウターカバー３を支持する。なお、実施例では、ケース５にアウターカバー３を載置しているが、アウターカバー３内にケース５を収容してもよい。このときは、設備機械７への装着方法を変更し、アウターカバー３を除く発光装置１を設備機械７に装着した後、アウターカバー３を装着すればよい。
【００１４】
インナーレンズ２は、発光体４からの光を拡散する光拡散材料からなる透光性の筒体を母体とし、その外周面に金属皮膜を施したハーフミラー２３（ハーフミラー２３１、２３２、２３３、２３４、２３５）（図２参照）の構造を呈している。本実施形態では、光拡散材料からなる透光性の筒体を母体としたが、母体は単に透明な材質で形成され、その周面に金属皮膜を施したハーフミラー２３の構造であってもよい。なお、本実施形態ではポリカーボネイト樹脂やアクリル樹脂またはガラスからなる母体にアルミからなる金属皮膜を塗布してハーフミラーの特性を持つインナーレンズ２を形成している。
【００１５】
係止カバー６は、シリコンゴム、エラストマーなどの弾性材料からなり、インナーレンズ２の内面上方に装着される。係止カバー６はインナーレンズ２内への上方からの余分な入光を防ぎ、インナーレンズ２によるハーフミラーの効果を向上する。また係止カバー６は、アウターカバー３により押圧される形で係止されている。
アウターカバー３は、透明なポリカーボネイトやアクリル樹脂等からなり、発光装置１の外観をなす。アウターカバー３は、その下端内面が上ケース５１に外嵌して係止される。その係止の際、係止カバー６を介してインナーレンズ２の移動を抑制するように、インナーレンズ２を係止する。また、アウターカバー３は、発光装置１の防水、防塵、耐油面での信頼性を確保する目的でも用いられている。それらの使用目的が必要ないときには、アウターカバー３は用いなくてもよい。その場合は、インナーレンズ２がアウターカバー３の役割も果たすように形成すればよい。なお、アウターカバー３の上面部分を別部品として形成し、係止カバー６の代わりにその別部品にてインナーレンズ２を係止するようにしてもよい。
【００１６】
図２は、本発明の一実施形態の発光装置の分解斜視図であって、上方からみたものである。図３は、本発明の一実施形態の発光装置の分解斜視図であって、下方からみたものである。
図２および図３を参照して、下ケース５２は、設備機械７から延び出して来る配線ケーブル１１を挿通する配線挿通孔５７、および、設備機械７とねじ止めするための穿通孔５８が設けられた底面１４と、上側外周面に形成された上ケース５１とバヨネット方式で接続するための上ケース取付部５６とを有する。配線挿通孔５７には、配線ケーブル１１と、配線ケーブル１１の先端に設けられた外部側コネクタ１３を挿通することができる。なお、外部側コネクタ１３は、配線挿通孔５７を配線ケーブル１１の先端が下から上に通過した後に、上から配線ケーブル１１の先端に装着してもよい。この外部コネクタ１３は、下ケース５２の略中央底面に設けられた配線挿通孔５７に挿通した後、内部側コネクタ１２と電気的機械的に接続され、互いに防水状態となる。なお、本実施形態では、動作信号や電源を配線ケーブル１１にて供給する方法で説明するが、動作信号については無線式で供給されてもよく、また電源はバッテリー方式で供給されてもよい。
【００１７】
上ケース５１には、下ケース５２とバヨネット方式で接続するための下ケース取付部５５が下側内周面に設けられ、上下方向中央付近の外周面にはアウターカバー３をバヨネット方式で接続するためのアウターカバー取付部５４が設けられている。下ケース取付部５５およびアウターカバー取付部５４は、各々下ケース５２およびアウターカバー３と回転係止させて固定するバヨネット方式で互いを係止するため、その内周面および外周面に係止突起を有している。底面１４は下ケース５２の底面であって、発光装置１の底面となる部分である。
【００１８】
また、上ケース５１は、インナーレンズ２や発光体４を保持するための灯体保持部５３を有する。灯体保持部５３は、一対の基板挟持片５３４と、インナーレンズ２を保持する内部保持壁５３１および外部保持壁５３２と、アウターカバー取付部５４の上端から内側に向かって延設される周縁部５３５と、後述するインナーレンズ支持台５３３とを有する。
【００１９】
一対の基板挟持片５３４は各々板状に形成され、略中央付近に設けた切り欠き部に挿入される基板４１の下端部を挟持する。内部保持壁５３１は、略円筒形をしたインナーレンズ２の下端内周面と接するような円柱の周面形状を含む曲成された板状体であり、インナーレンズ２の装着時の移動抑制を行う。また、内部保持壁５３１は、インナーレンズ２や基板４１を保持したときの機械強度を得るため、基板挟持片５３４と連設されている。しかし、他の方法で基板狭持片５３４の機械強度を得ることができれば、内部保持壁５３１を用いる必要はない。さらに、基板挟持片５３４は、基板４１の下端を挟持しているが、基板を保持できるのであればその他の基板保持手段を使用してもよい。
【００２０】
外部保持壁５３２は、内部保持壁５３１と同様、インナーレンズ２の装着時の移動抑制を行うほか、外光がインナーレンズ２の下部からインナーレンズの内部に侵入するのを防ぐ役割もしている。また、外部保持壁５３２は、外光侵入防止を行いながらも発光体４からの放射光の放射面積を大きくするため、高さが低く抑えられている。なお、内部保持壁５３１は、円柱の側面形状を含む曲成された板状と説明したが、板状に限らず複数の棒状形状のものにしてもよい。さらに振動等の影響を受けにくい場所で使用される装置では、インナーレンズ２を内部保持壁５３１で保持しなくても、外部保持壁５３２のみで保持できるので、内部保持壁５３１を省略した構成でもよい。また、逆に、例えばインナーレンズ２の底面にシール部材を設けるなど、外光のインナーレンズ２内への侵入を防ぐ構成とし、インナーレンズ２の支持が内部保持壁５３１のみで行えるときには、外部保持壁５３２を省略した構成としてもよい。周縁部５３５は、アウターカバー取付部５４、外部保持壁５３２およびインナーレンズ支持台５３３と一体的に形成され、各々を接続している。
【００２１】
発光体４は、基板４１の下端付近の切り欠き部分が基板挟持片５３４に挿入されることで挟持され、内部側コネクタ１２を介して得られる信号および電力により、実装されたＬＥＤ４２が点灯や点滅の動作を行う。基板４１上の実装面以外のところは、比較的光を反射しやすい白色等にされたり、拡散材料が施されるなどの光拡散処理が施されている。このような処理が施されている理由は、インナーレンズ２のハーフミラー２３は、ＬＥＤ４２の照射光の一部を基板４１側に反射する。従って、発光装置１の性能を向上するため、そのハーフミラーからの反射光を再度インナーレンズ２側に反射しやすくするためである。
【００２２】
なお、本実施形態では、細長い両面基板上に複数のＬＥＤ４２を、その光軸が水平方向になるように実装した発光体４を説明している。しかし、この構成に限らない。例えば、内部保持壁５３１と基板挟持片５３４で囲まれる空間内に、光軸が垂直方向となるようにＬＥＤを設け、その照射光をアルミ蒸着された反射部材やレンズ部品で外方に反射させるようにした発光体４としてもよい。
【００２３】
インナーレンズ２には、外周面にハーフミラー２３の処理が施してある。さらに説明すると、ハーフミラー２３は、内包するＬＥＤ４２１、ＬＥＤ４２２、ＬＥＤ４２３、ＬＥＤ４２４、ＬＥＤ４２５の発光色に合わせ、対応する位置のハーフミラー２３が、赤色系のハーフミラー２３１、黄色系のハーフミラー２３２、緑色系のハーフミラー２３３、青色系のハーフミラー２３４、白色系（銀色系）のハーフミラー２３５とされている。なお、本実施形態では、各ハーフミラー２３１、２３２、２３３、２３４、２３４の面積が略同一とされているが、使用目的などに応じ、面積比率が異なっていてもよい。また、白色系（銀色系）のみのハーフミラー２３としてもよい。さらに同一色系統のハーフミラーであっても、光透過率／光反射率が異なるものを組み合わせてもよい。
【００２４】
インナーレンズ２の下端は、上ケース５１に装着するための上ケース取付部２２を有する。上ケース取付部２２は、インナーレンズ２の本体部分と略同一の筒体であって、上ケース５１への装着時、内部保持壁５３１、外部保持壁５３２およびインナーレンズ支持台５３３（後述する）で囲まれる空間に挿入される。挿入されたインナーレンズ２は、その保持壁５３１、５３２により、水平方向（回転方向除く）の移動が制限される。インナーレンズ２の上端は、係止カバー６が装着される係止カバー装着部２１を有する。係止カバー装着部２１は、インナーレンズ２の本体部分と略同一の筒体である。また、インナーレンズ２の内面に基板４１の案内溝（非図示）を設けることで、基板４１をインナーレンズ２内に挿入するときに摺動させることができるから、発光装置１の生産性を高めることができる。この案内溝や、回転抑止突起等を設けたときには、インナーレンズ２の回転方向の移動を抑制ができ、より発光装置１の生産性の向上に寄与する。
【００２５】
係止カバー６は、アウターカバー３の内部上壁と係止される係止突起６１と、係止カバー装着部２１の内面と略同一サイズの保持壁６２と、基板４１を上方から支持する一対の基板挟持板６４とそれらを保持する本体６３とを有する。保持壁６２は、本体６３から下方に円筒形状で突設されており、その外周面には軸方向に延びる弾性突起６２１が等間隔で多数設けられている。係止カバー６は、弾性突起６２１を設けたことで、インナーレンズ２への装着が容易になるとともに、インナーレンズ２から抜け落ちしにくくなっている。一対の基板挟持片６４は、挿入される基板４１の上端の切り欠き部分を挟持する。このとき、一対の基板挟持片６４は、装着するインナーレンズ２の案内溝に沿うように挿入する。なお、この係止カバー６はアウターカバー３の上面の一部と一体化させてもよく、そのときにはアウターカバー３の上面は外光がインナーレンズ２内に侵入しないよう、遮光性部材である方がよい。
【００２６】
上ケース５１、発光体４、インナーレンズ２および係止カバー６の組み立てについて説明する。まず、係止カバー６をインナーレンズ２に装着する。このとき、係止カバー６の基板挟持板６４とインナーレンズ２の案内溝（非図示）が沿うようにする。次に、発光体４（基板４１）をインナーレンズ２の内面の案内溝に沿って下側から挿入し、基板挟持片６４に挿入して係止させる。次に発光体４（基板４１）と係止カバー６が装着されたインナーレンズ２を、上ケース５１の灯体保持部５３に挿入する。このようにして灯体部分を上ケース５１に組み合わせる。組み合わせた後、それらを上から囲覆するようにアウターカバー３を被せ、アウターカバー３の下端に設けたケース取付部３２をアウターカバー取付部５４に固定する。
【００２７】
図４は、発光装置１の要部の断面図であり、図１のＳ１−Ｓ１に沿った縦断面を示す。図４ならびに図２、図３を参照して、アウターカバー３の内面上部には、係止カバー６の係止突起６１を案内して受ける突起受け部３１がアウターカバー３本体と一体に形成されている。突起受け部３１は、断面視逆Ｍ字形状の凹状体である。係止突起６１は、係止カバー６の本体中央から上方に三角状に突出した形状であって、突起受け部３１の凹状と係合する形状をなす。係止突起６１は、アウターレンズ３をケース５に装着する際、突起受け部３１と接触し、その後下方に押圧される。このとき、インナーレンズ２の下端がインナーレンズ支持台５３３に接触する。また、係止カバー６が比較的柔軟性のある材料で形成されているため、基板４１の上端切り欠き部は基板挟持部６４の穿設溝に奥深くまで挿入された状態で係止される。一方、基板４１の下端切り欠き部は、上ケース５１が比較的硬い材料で形成されているため、基盤挟持片５３４の穿設溝の途中まで挿入された状態で係止される。なお、この基板４１の係止時に加える力は、基板４１の長さに応じてインナーレンズ２長さを調整すればよい。
【００２８】
上ケース５１のインナーレンズ支持台５３３の中央には穿通孔５９が設けられており、内部側コネクタ１２はこの穿通孔５９に差し込まれて、上ケース５１で挟持されている。アウターカバー３とアウターカバー取付部５４の間、上ケース５１の下ケース取付部５５と下ケースの上ケース取付部５６の間はシール部材などで防水処理がなされる。また、設備機械７への設置状態においては、発光装置１の底面１４と設備機械７の間にも防水処理が施される。これらにより、発光装置１の防水処理ができる。
【００２９】
次に、第二の実施形態の発光装置１Ａを説明する。以下の説明では、上述の実施形態と異なる点を中心に説明し、同様の構成については対応部分に同じ符号を付して説明を省略する。また、後述するほかの実施形態や変形例についても同様とする。図５は、本発明の第二の実施形態の発光装置の上側から見た分解斜視図である。
第二の実施形態の発光装置１Ａは、インナーレンズ２に代えたインナーレンズ２Ａを使用しているほかは、第一実施形態の発光装置１と同様の構成をしている。
【００３０】
インナーレンズ２Ａは、発光体４からの光を拡散する光拡散材料からなる筒体を母体とし、その外周面に金属皮膜を施したハーフミラー２３Ａ（ハーフミラー２３１Ａ、２３２Ａ、２３３Ａ、２３４Ａ、２３５Ａ）と、区切り部２４（２４１、２４２、２４３、２４４、２４５）とを有している。このハーフミラー２３Ａは第一の実施形態のハーフミラー２３（２３１、２３２、２３３、２３４、２３５）と同様の構成である。
【００３１】
区切り部２４は、ハーフミラー２３Ａより高い反射率のハーフミラーまたは非透光部材より形成される。区切り部２４が前者のときは、ハーフミラー２３Ａと同様の製法で作ることができる。区切り部２４が後者のときは、ハーフミラー２３Ａと同様の製法またはホットスタンプ等で作ることができる。
区切り部２４は、各ハーフミラー２３１Ａ、２３２Ａ、２３３Ａ、２３４Ａ、２３５Ａの各間に配置された区切り部２４１、２４２、２４３、２４４と、ハーフミラー２３５Ａの下に設けられた区切り部２４５とを有している。この区切り部２４は、看者がインナーレンズ２Ａを通過してきた発光体４の照射光を認識しやすいように設けている。特に複数の発光体４が発光しているときにはより効果を奏する。なお、この区切り部２４の使用と合わせて、各発光体４の照射光が他の発光体４の照射光と混在しないようにインナーレンズ２Ａ内に仕切り板などを設けてもよい。
【００３２】
次に、第三の実施形態の発光装置１Ｂを説明する。図６は、第三の実施形態の発光装置を示す図である。図７は、第三の実施形態の発光装置の分解側面図である。
図６を参照して、発光装置１Ｂは壁面に取り付けられる信号表示灯である。発光装置１Ｂは、半円形状のアウターカバー３Ａと、アウターカバー３Ａに内包されるインナーレンズ２Ｂと、ＬＥＤ４２Ａ（４２１Ａ、４２２Ａ、４２３Ａ）を実装した基板４Ａと、配線１１Ａとを有する。アウターカバー３Ａは、インナーレンンズ２Ｂのハーフミラー部２３Ｂ（２３１Ｂ、２３２Ｂ、２３３Ｂ）の間に嵌る区切り部２４Ａ（２４１Ａ、２４２Ａ）を有する。この区切り部２４Ａは、アウターカバー３Ａの表面と一体的に形成されている。本実施形態ではアウターカバー３Ａの表面は鏡面処理が施されている。従って、発光装置１Ｂ全体をメタリック調（同一系統の色彩）にすることができるから、設置する設備機械の外観色と調和しやすくなり、不点灯状態における発光装置の存在感の主張を抑制できる。当然ながら、点灯状態においては、ハーフミラー２３Ｂを介しＬＥＤ４２の照射光が放射されるから、発光装置１Ｂとしての信号表示灯の報知器機能等は維持できる。
【００３３】
図６および図７を参照して、アウターカバー３Ａは、インナーレンズ２Ｂのハーフミラー部２３Ｂ（２３１Ｂ、２３２Ｂ、２３３Ｂ）に対応する位置に窓部３３（３３１、３３２、３３３）を有する。また、ハーフミラー部２３Ｂは、インナーレンズ２Ｂの本体部分より突出して形成されている。なお、インナーレンズ２Ｂのハーフミラー部２３Ｂにのみハーフミラー処理が行われておればよい。発光体４Ａは基板４１Ａ上に複数のＬＥＤ４２Ａ（４２１Ａ、４２２Ａ、４２３Ａ）が実装されている。ケース５Ａは、発光体４Ａを支持しているほか、螺子等を介して、インナーレンズ２Ｂやアウターカバー１Ｂを設備機械７Ａの側面に装着保持する。
【００３４】
第三の実施形態においては、アウターカバー３Ａを発光装置１Ｂの一部として説明したが、アウターカバー３Ａを除く発光装置１Ｂを設備機械７Ａに埋め込み、アウターカバー３Ａを設備機械の表面パネル等で形成してもかまわない。また、防水防滴性能が不要な発光装置であればアウターカバー３Ａを設けなくてもよい。このとき、発光装置１Ｂの外観を設置する設備機械７Ａに同化させることができるから、より一層設備機械との一体感が増し、不点灯状態における発光装置１Ｂの存在感の主張を抑制することができる。
【００３５】
次に、第四の実施形態の発光装置１Ｃを説明する。図８は、第四の実施形態の発光装置を示す図である。発光装置１Ｃは、ケース５Ｂにハーフミラー２３Ｃ（２３１Ｃ、２３２Ｃ、２３３Ｃ）のインナーレンズ２Ｃを載置している。第四の実施形態では、アウターカバー３Ｂはインナーレンズ２Ｃと一体成型されており、発光装置１Ｃの上方からインナーレンズ２Ｃ内に外光が侵入することを防止している。ケース５Ｂをメタリック調にすれば、ハーフミラー２３Ｃの色彩と合わせ易くなり、発光装置の存在感の主張を抑制することができる。
【００３６】
この発明は、以上の実施形態の内容に限定されるものではなく、請求項記載の範囲内において種々の変更が可能である。
【符号の説明】
【００３７】
１    発光装置（信号表示灯）
２；２Ａ     インナーレンズ
２３；２３Ａ；２３Ｂ；２３Ｃ     ハーフミラー
２３１Ｂ、２３２Ｂ、２３３Ｂ     ハーフミラー
２３１Ｃ、２３２Ｃ、２３３Ｃ     ハーフミラー
２４；２４Ａ     区切り部
３；３Ａ；３Ｂ     アウターカバー
３１     突起受け部
４；４Ａ     発光体
５；５Ａ；５Ｂ     ケース
５３     灯体保持部
６     係止カバー
６１     係止突起
【図１】
2014225480.tif 000003
【図２】
2014225480.tif 000004
【図３】
2014225480.tif 000005
【図４】
2014225480.tif 000006
【図５】
2014225480.tif 000007
【図６】
2014225480.tif 000008
【図７】
2014225480.tif 000009
【図８】
2014225480.tif 000010